(57)【要約】      （修正有）【課題】広い駐車場に駐車した自動車の位置を簡易に検索できる二次元コード付き駐車場位置表示構造を提供する。【解決手段】駐車場内の路面に多数設けた一台毎駐車可能に区画してある区画部１と、この区画部内の路面上に貼着し、携帯端末装置によって撮影可能な二次元コードを表面に有する位置表示部３と、を有し、路面上の前記位置表示部の二次元コードを携帯端末装置によって撮影して読み込み、携帯端末装置の画像部に前記区画部１の位置識別記号または案内図若しくは企業名や商品名の広告媒体を映し出すことにより、駐車位置を探索可能とする。【選択図】図２
0003148219.tif 000002
【実用新案登録請求の範囲】
【請求項１】
駐車場内の路面に多数設けた一台毎駐車可能に区画してある区画部と、
この区画部内の路面上に貼着し、携帯端末装置によって撮影可能な二次元コードを表面に有する位置表示部と、
からなり、路面上の前記位置表示部の二次元コードを携帯端末装置によって撮影して読み込み、携帯端末装置の画像部に前記区画部の位置識別記号または案内図若しくは企業名や商品名の広告媒体を映し出し、駐車位置を探索可能としたことを特徴とする駐車位置表示構造。
【請求項２】
駐車場内の路面に多数設けた一台毎駐車可能に区画してある区画部と、
この区画部内の路面上に貼着する企業名、商品名、商標及びサービスマークから選ばれた１つまたは二つ以上の文字または図柄を描いた広告表示部材と、
携帯端末装置によって撮影可能な二次元コードを表面に有する位置表示部と、
を備え、前記広告表示部材の表面に前記位置表示部を印刷または貼着して該広告表示部材を前記区画部内の路面所定の個所に配設固着したことを特徴とする駐車位置表示構造。
【請求項３】
前記区画部の車両進入する側で、この区画部両側端の区切り線間の中央部分に前記位置表示部または前記位置表示部を備えた前記広告表示部材を路面に固着したことを特徴とする請求項１または請求項２に記載の駐車位置表示構造。
【請求項４】
前記位置表示部がクイックレスポンスコードであることを特徴とする請求項１、請求項２又は請求項３に記載のいずれか１つであることを特徴とする駐車位置表示構造。
【請求項５】
前記広告表示部材、前記位置表示部の表面に滑り止め処理が施されていることを特徴とする請求項１乃至請求項４に記載されるいずれか１つである駐車位置表示構造。
【請求項６】
前記位置表示部がビニル系樹脂、アクリル系樹脂、ビニル−アクリル系樹脂で形成されており、路面または前記広告表示部に強固に接着されることを特徴とする請求項１乃至請求項５に記載のいずれかひとつである駐車位置表示構造。
【考案の詳細な説明】
【技術分野】
【０００１】  本考案は、平地の駐車場、鉄骨等で組み立てられた立体駐車場および屋上駐車場などの路面に設置する広告媒体を有する駐車位置表示構造に関し、特に、二次元コードを備えた駐車位置表示構造に関する。
【背景技術】
【０００２】  スーパーやショッピングセンター、モールなどの大型店舗や空港、遊園地などの施設を利用する顧客のために大型の駐車場が設けられている。駐車可能範囲が広いので買い物などをした後、駐車場に戻ってきたとき、駐車した場所が判らなく、自分の車を探すのに困難を伴う場合が多かった。駐車場に車を止めた顧客は、車から離れて再び戻ってくるまで、駐車場内における駐車位置を、駐車フロアや駐車エリアに基づいて記憶しなければならず、老人には大変であった。そこで各店舗などの駐車場管理に警備員を配置したり、駐車場に管理サーバーを設け、駐車場に設けた駐車位置を管理し、ネットワークを介して自己の自動車の停車位置に誘導する駐車場管理システムが知られている（例えば特許文献１や特許文献２）。【０００３】  また、道路や駐車場の路面上に貼着して通行者や運転手に情報を伝達する道路標示シートも一般によく知られており、これら道路標示シートとして企業名などの宣伝用広告を文字または図柄によって描いたシート等を貼着したものがある。特に、駐車場の路面上の車両が駐車するスペースに利用者の企業名を塗料等で塗装して表示する広告入り駐車場が特開平１０−３１９８９０号公報（特許文献２）として提案され、また、駐車場の区画白線ライン上に標示シートを接着したものとしては特開２００６−２１４１４３号公報（特許文献３）など知られている。【０００４】
【特許文献１】  特開２００２−２９８２９７号公報
【特許文献２】  特開２００４−１９９１７７号公報
【特許文献３】  特開平１０−３１９８９０号公報第１頁
【特許文献４】  特開２００６−２１４１４３号公報第１頁
【０００５】  特許文献１のようなシステムは管理サーバーを設置しなければならず、駐車料金の精算や空場所の検索などを行い、更に、ＧＰＳ機能を利用するものでは大がかりなコンピュータ装置を必要とした。そのための費用も高額なものとなっている。また、駐車場の壁面に案内図を設置して携帯端末装置によって撮影し、駐車場に戻ってきたときに携帯端末装置に案内図を表示するものなども知られているが、いずれも管理サーバーやＧＰＳ位置検索、料金計算システムを行うもので高価な設備を必要とするものである。
また、特許文献３は自動車などの車両の駐車位置のスペースに企業名などの広告表示を路面に塗料を塗布するものであるが、この表示部分が自動車の駐車によって隠れてしまい広告効果なくなり、また、駐車に際してタイヤの通過によって磨耗して表示部分が消されることがあった。また、特許文献３の区画白線ライン上に標示シートを貼着したものにおいては車両タイヤの通過による印刷面の消滅を防止することができるが、広告媒体は一般的に数ヶ月に一度交換することが多く、そのため標示シーとの張り替え作業によって白線ラインも一緒に剥離されることがあり、白線ラインをその都度描かなければならなかった。
【考案の開示】
【考案が解決しようとする課題】
【０００６】  本考案は、これら従来の問題点を改善したもので、簡単な方法で顧客の駐車場内における自分の自動車の駐車位置を簡易に確認できるものを提供するものである。
本考案の課題は、広い駐車場に駐車した自動車の位置を簡易に探索できる駐車場位置表示構造を提供することである。
本考案の課題は、位置表示部の二次元コードを携帯端末装置によって取り込み、携帯端末装置の画像面に駐車位置を表示し、駐車位置を簡易に探索できる駐車位置表示構造を提供することである。
本考案の課題は、一箇所の駐車場全体に同一広告表示をするとともに駐車位置を表示する広告表示部材を有する駐車場位置表示構造を提供することである。
【課題を解決するための手段】
【０００７】  本考案の前記課題は、以下の構成によって達成することができる。
駐車場内の路面に多数設けた一台毎駐車可能に区画してある区画部と、この区画部内の路面上に貼着し、携帯端末装置によって撮影可能な二次元コードを表面に有する位置表示部と、からなり、路面上の前記位置表示部の二次元コードを携帯端末装置によって撮影して読み込み、携帯端末装置の画像部に前記区画部の位置識別記号または案内図若しくは企業名や商品名の広告媒体を映し出し、駐車位置を探索可能とした駐車位置表示構造の構成である。【０００８】  本考案の前記課題は、駐車場内の路面に多数設けた一台毎駐車可能に区画してある区画部と、この区画部内の路面上に貼着する企業名、商品名、商標及びサービスマークから選ばれた１つまたは二つ以上の文字または図柄を描いた広告表示部材と、携帯端末装置によって撮影可能な二次元コードを表面に有する位置表示部と、を備え、前記広告表示部材の表面に前記位置表示部を印刷または貼着して該広告表示部材を前記区画部内の路面所定の個所に配設固着した駐車位置表示構造の構成によって達成できる。【０００９】  本考案の前記課題は、前記区画部の車両進入する側で、この区画部両側端の区切り線間の中央部分に前記位置表示部または前記位置表示部を備えた前記広告表示部材を路面に固着した駐車位置表示構造の構成によって達成できる。【００１０】  本考案は、駐車場の区画部内の路面に駐車位置を表示する二次元コードの位置表示分を配置してあるから該二次元コードを撮影可能な携帯端末装置（携帯電話など）に取り込み、駐車場内の駐車番号、案内地図などを携帯端末装置の画像部に表示して駐車位置を簡易に探索することができる。また、この二次元コードを携帯端末装置に取り込むことにより携帯端末装置の画像部に駐車位置の識別番号等の他に企業の企業名や、商品名、サービスマークなどの広告主の広告を表示できる。【００１１】  本考案の二次元コードを印刷した位置表示部のみを駐車場の路面に貼着する。この位置表示部を携帯端末装置に撮影して取り込み、この画像を携帯端末装置で閲覧して自動車の駐車位置が簡易に探索できるばかりでなく、商品広告などを閲覧することができる。更に、この位置表示部を広告表示部材に印刷しても良いが、既存の広告表示部材の表面に貼着して簡易に設置可能である。【００１２】  本考案に使用する二次元コードは、一般に知られるクイックレスポンスコード（登録商標ＱＲコード）やバーコードなどである。【００１３】  本考案の位置表示部は二次元コードを印刷したもので、その上に被覆材を表面に施すことにより、路面上や広告表示部材に確実なる固着が可能となる。また、前記位置表示部の表面に滑り止め処理を施すことにより、人間が滑ったり、タイヤのスリップを防止することができる。更に、広告表示部材を使用したときもこの表面に被覆材を施す。いたずらによる剥がれを防止する。【００１４】  本考案の駐車位置表示構造に使用する位置表示部や広告表示部材に使用するシート（膜）としては、表面に文字、図柄等が描画いたり、印刷することができる合成樹脂シートであり、ビニル系樹脂、アクリル系樹脂、ビニル−アクリル系樹脂である。好ましいものとしては塩化ビニル樹脂シートである。また、高分子化合物としては、アミド基、カルボキシル基のうち���なくともの一種を有する（メタ）アクリル系モノマーを含むビニル系モノマーをラジカル重合してなる常温で固体状あるいは固溶体状のアクリルポリオールと、ブロックイソシアネートとを主成分とする熱硬化性樹脂組成物から成るシートであって、該シートの厚みが１〜３５ｍｍであり、該樹脂組成物の重量平均分子量が１１万〜１５０万である合成樹脂シートである。【００１５】  また、水酸基、アミド基、カルボキシル基のうち少なくともの一種を有する（メタ）アクリル系モノマーを含むビニル系モノマー、ブロックイソシアネートおよびラジカル開始剤を、内容物を表面更新しつつ連続的に移送可能でかつ移送過程において温度制御機構を具備した押出機に投入し、該押出機内で上記モノマーを重合せしめた後、得られた熱硬化性樹脂組成物を該押出機に取付けられたシート金型によってシート状に成型して製造することができる。【００１６】  また、本考案の広告表示部材は反応性の熱硬化性樹脂組成物をシート状に成形したものであって、該樹脂組成物は、水酸基、アミド基、カルボキシル基のうち少なくともの一種を有する（メタ）アクリル系モノマーを含むビニル系モノマーをラジカル重合してなる常温で固体状あるいは固溶体状のアクリルポリオールと、ブロックイソシアネートとを主成分とし、常温で固体又は固溶体状の未硬化状態にしたものも使用できる。【００１７】  本考案の駐車位置表示構造に使用する被覆材としては速乾性のアクリル系樹脂で、前記被覆材がビニルまたはアクリル系単独の重合体、ビニル−アクリル系共重合体又はビニル、アクリル、エチレン、アクリル系三元共重合体から選ばれた重合体を主成分とするものである。この重合体に、シリカ、炭酸カルシウム、カオリン、酸化チタン、酸化アンチモ等の無機填料を混合したもので、その他微生物防除材等を添加してある。使用する有機溶剤としてはトルエン、キシレン等のベンゼン以外の芳香族溶剤で、炭素数１〜５の脂肪族エステル、炭素数１〜７のアルコールまたはポリオール等である。【００１８】  本考案に使用する位置表示部や広告表示部材は、ビニル系樹脂、アクリル系樹脂、ビニル−アクリル系樹脂から選ばれた１つの合成樹脂シートであり、この合成樹脂シートの周縁に貼着する前記被覆材としてはビニルまたはアクリル系単独の重合体、ビニル−アクリル系共重合体又はビニル、アクリル、エチレン系三元共重合体から選ばれた重合体を主成分とする合成樹脂が好ましく使用することができる。
本考案に使用する合成樹脂シートは、裏面にアルミニウム箔を積層したものが使用でき、耐久性に優れ、可撓性に富み非常に好ましい。【００１９】  本考案の駐車位置表示構造の位置表示部や広告表示部材を路面に接着する接着剤としては天然ゴム粘着付与剤と知られる粘着剤が好ましい。その他のブチルゴム、クロロプレンゴム等の合成ゴム製品を使用することができる。
また、位置表示部、広告表示部材としては路面に貼着したときに歩行者等が滑って転倒しないように表面に微細な凹凸のある樹脂フィルム等を接着したラミネートフィルムを使用するのが好ましい。【００２０】  本考案の駐車位置表示構造に使用する簡易固着部材としては合成樹脂などのバインダーに永久磁石の粉末を分散してある磁石板、ゴムや発泡性樹脂に永久磁石を分散した磁石板が用いられる。特に、この磁石板の厚みを薄くし、薄板に形成してある磁石板を磁極が交互に配置されるように所定の厚さに積層したものは接着力が強力である。【００２１】  上記表示板の表面の文字、図柄の形成手段としては、駐車場の舖装時に凹凸面として設けたり、路面表示用の塗料等を塗布したりすることが挙げられる。この路面表示用の塗料等の塗布は、予め所定の文字や図形等を表示したシート類を駐車路面上に加熱ローラ等で融着することによって行なうことができる。また、駐車路面上に塗装用のマスクを施しておき、所定部分に路面表示用の塗料等を塗布したのちマスクを剥すことにより、マスクの施されていない部分に広告表示６が残るようにしてもよい。
【考案の効果】
【００２２】  本考案の駐車位置表示構造は、広告表示部材の二次元コードに駐車位置が表示されるから、該二次元コードを携帯端末装置（携帯電話など）に取り込み、携帯端末装置の画像部に自動車の駐車した駐車番号や案内図を表示することができるので、買物を終了し、または外国から帰国したときに駐車場の事故の自動車の駐車位置を簡易に探索することができる。また、同時に企業の広告を閲覧することができる。【００２３】  一般的に駐車場の区画部、特に、駐車位置進入側の中央に文字、図柄を表示した広告表示部材を配置してあるから車両が駐車していても広告効果がある。区画部の中央部分に位置表示部を配置するから摩擦などによるすり減りによる二次元コードや、文字の消滅を防ぐことができる。【００２４】  更に、本考案の駐車位置表示構造は、広告表示部材の周縁部分において被覆材を被覆してあるから広告表示部材の周縁の剥離を防止でき、いたずらによる広告表示部材の剥離を防止できる。特に、被覆材はアスファルトや表示板に強固に接着するビニルまたはアクリル系単独の重合体、ビニル−アクリル系共重合体又はビニル、アクリル、エチレン、アクリル系三元共重合体から選ばれた重合体を主成分とする重合体を使用しているので長期間の耐久性に優れている。
【考案を実施するための最良の形態】
【００２５】  本考案に係る駐車位置表示構造を実施するための実施形態を図面に基づいて説明する。
図１は本考案駐車位置表示構造の位置表示部の実施形態を示す平面図、図２は本考案の駐車位置表示構造を施した第１の実施形態を示す平面図、図３は本考案の駐車位置表示構造を施した第２の実施形態を示す平面図、図４は本考案の駐車位置表示構造の広告表示部材分の断面図である。図５は二次元コードを読取り、携帯端末装置の画像部の表示例説明図である。【００２６】  駐車場の路面に自動車の一台が駐車する範囲を示す区画仕切り線２、２によって区画部１を示してある。この区画部１の自動車の進入側の入り口であって、区切り線２，２の間の中央部分に二次元コード（例えばクイックレスポンスコード）を印刷した位置表示部３を貼着してある。
この位置表示部３は、ビニル系樹脂、アクリル系樹脂、ビニル−アクリル系樹脂である。好ましいものとしては塩化ビニルシートである。また、高分子化合物としては、水酸基、アミド基、カルボキシル基のうち少なくともの一種を有する（メタ）アクリル系モノマーを含むビニル系モノマーをラジカル重合してなる常温で固体状あるいは固溶体状のアクリルポリオールと、ブロックイソシアネートとを主成分とする熱硬化性樹脂組成物からなるシート４の表面に二次元コードを貼着してある。このシート４は可撓性のもので、表面に文字や図形等が描くことができるものである。該シート４の厚みが１〜３５ｍｍであり、該樹脂組成物の重量平均分子量が１１万〜１５０万のものが好ましい。【００２７】  この位置表示部３は円形に形成してあり、この表面に正方形の二次元コードであるクイックレスポンスコード（ＱＲコード登録商標）を有する。円形であるから路面上に貼着したときに剥がされがたい。この位置表示部３の大きさは直径４００〜５００ｍｍの円形のシート４に一辺が３００ｍｍの正方形のＱＲコード（登録商標）が印刷してあり、このシート４の裏面に剥離紙を接着してある。
また、この位置表示部３は企業名や商品名の印刷してある広告表示部材５の表面に印刷または貼着してあってもよい。この場合の広告表示部材５は合成樹脂の前記シート４と同一素材のものが好ましい。【００２８】  この位置表示部３の周縁部分と舗装アスファルトの路面とに跨って所定の幅で被覆材６を施してある。この被覆材６は耐久性でありアスファルト路面との接着性に優れるばかりではなく、位置表示部３や広告表示部材５との接着性に優れている。この被覆材６は図面に示すように広告表示部材５の表面周縁に部分的に形成してあるが、全周に施してもよい。また、位置表示部３や広告表示部材５の全面に透明な被覆材６を被覆してもよい。【００２９】  この位置表示部３や広告表示部材５は表面に歩行者の転倒を防止するラミネートフィルム処理がされている。また、路面との接着面にアルミニウム箔が接着してある。【００３０】  広告表示部材５の表示の内容は、漢字、仮名文字、アルファベット、数字、記号からなる群から選ばれた少なくとも１つまたは組み合わせによって文字，図柄を表示する。表示板の表面に着色印刷して描いてあってもよく、切抜きによって表示してもよい。【００３１】  本考案の駐車位置表示構造を備えた駐車場の区画部１内に自動車を駐車させ、自動車から下車したときに、駐車位置の路面に貼着してある位置表示部３を携帯端末装置である携帯電話７のカメラで撮影してＱＲコード（登録商標）を読み込む、携帯電話７の画像部８に図５に示すような画面が映し出される。例えば、
「駐車場所３階Ａ−５、Ａ社の電話は２４時間家族割があります。」、「駐車位置５Ｂ−２、喫茶店アリスは５階にあります。」「東１２Ｃ−１、帰路  ○○にお寄りください。」などの広告を表示する。
このような画面を見て自動車の駐車位置を探すことができる。従って、その都度、駐車位置を記憶する必要もなく、駐車場内をうろうろして自分の自動車を探索することも無くなる。
【実施例】
【００３２】  本考案の駐車位置表示構造は、以下のようにして形成してある。
位置表示部３として直径４５０ｍｍの円形のシート４に正方形のＱＲコード（登録商標）が印刷してある（図１参照）。
この位置表示部３を図２に示すように区画部１の中央部分に貼着する。【００３３】  広告表示部材５として幅２０ｃｍ、長さ１．５ｍ、厚み２ｍｍの塩化ビニル樹脂シートで形成し、他の調合剤を含有する広告表示部材５の表面に企業名や商標を印刷してある。この広告表示部材５の表面に前記位置表示部３が接着剤を介して貼着してある（図３参照）。
接着剤としては天然ゴム粘着付与剤を介して路面上に貼着する。この広告表示部材５の周縁部分にビニル系樹脂を主成分とする被覆材６を路面１と広告表示部材５の周縁との間に塗布して被覆する。【００３４】  この広告表示部材５の四隅は円弧状に形成してあるからいたずらによる剥離しにくくなっている。特に、被覆材６を表面に施すことにより、強固に路面に接着し、耐久性に優れる。
【図面の簡単な説明】
【００３５】
【図１】  本考案駐車位置表示構造の位置表示部の実施形態を示す平面図である。
【図２】  本考案の駐車位置表示構造を施した第１の実施形態を示す平面図である。
【図３】  本考案の駐車位置表示構造を施した第２の実施形態を示す平面図である。
【図４】  本考案の駐車位置表示構造の広告表示部材分の断面図である。
【図５】  本考案の二次元コードの読取り、携帯端末装置の画像部の表示例の説明図である。
【符号の説明】
【００３６】  １      区画部
２      区切り線
３      位置表示部
４      シート
５      広告表示部材
６      被覆材
７      携帯端末装置
８      画像部
【図１】
0003148219.tif 000003
【図２】
0003148219.tif 000004
【図３】
0003148219.tif 000005
【図４】
0003148219.tif 000006
【図５】
0003148219.tif 000007
【手続補正書】
【提出日】平成20年6月20日(2008.6.20)
【手続補正３】
【補正対象書類名】明細書
【補正対象項目名】００２６
【補正方法】変更
【補正の内容】
【００２６】  駐車場の路面に自動車の一台が駐車する範囲を示す区画仕切り線２、２によって区画部１を示してある。この区画部１の自動車の進入側の入り口であって、区切り線２，２の間の中央部分に二次元コード（例えばクイックレスポンスコード）を印刷した位置表示部３を貼着してある。また、広告表示部材５の表面に透明な被覆材６などの合成樹脂フィルムを有する場合は、この広告表示部材５の一部を開口して窓部を形成し、この窓部の内側に位置表示部３を貼着することもできる。表面が透明であるから携帯端末装置（携帯電話）で撮影することができる。
この位置表示部３は、ビニル系樹脂、アクリル系樹脂、ビニル−アクリル系樹脂である。好ましいものとしては塩化ビニルシートである。また、高分子化合物としては、水酸基、アミド基、カルボキシル基のうち少なくともの一種を有する（メタ）アクリル系モノマーを含むビニル系モノマーをラジカル重合してなる常温で固体状あるいは固溶体状のアクリルポリオールと、ブロックイソシアネートとを主成分とする熱硬化性樹脂組成物からなるシート４の表面に二次元コードを貼着してある。このシート４は可撓性のもので、表面に文字や図形等が描くことができるものである。該シート４の厚みが１〜３５ｍｍであり、該樹脂組成物の重量平均分子量が１１万〜１５０万のものが好ましい。
【手続補正３】
【補正対象書類名】明細書
【補正対象項目名】００２７
【補正方法】変更
【補正の内容】
【００２７】  この位置表示部３は円形に形成してあり、この表面に正方形の二次元コードであるクイックレスポンスコード（ＱＲコード登録商標）を有する。円形であるから路面上に貼着したときに剥がされがたい。この位置表示部３の大きさは直径４００〜５００ｍｍの円形のシート４に一辺が３００ｍｍの正方形（一辺５ｃｍ位）のＱＲコード（登録商標）が印刷してあり、このシート４の裏面に剥離紙を接着してある。
また、この位置表示部３は企業名や商品名の印刷してある広告表示部材５の表面に印刷または貼着してあってもよい。この場合の広告表示部材５は合成樹脂の前記シート４と同一素材のものが好ましい。
【手続補正４】
【補正対象書類名】明細書
【補正対象項目名】００２８
【補正方法】変更
【補正の内容】
【００２８】  この位置表示部３の周縁部分と舗装アスファルトの路面とに跨って所定の幅で被覆材６を施してある。この被覆材６は耐久性でありアスファルト路面との接着性に優れるばかりではなく、位置表示部３や広告表示部材５との接着性に優れている。この被覆材６は図面に示すように広告表示部材５の表面周縁に部分的に形成してあるが、全周に施してもよい。また、位置表示部３や広告表示部材５の全面に透明な被覆材６を被覆してもよい。この場合広告表示部材５の一部を切り取り位置表示部３を嵌めこむ。
【手続補正書】
【提出日】平成20年7月29日(2008.7.29)
【手続補正１】
【補正対象書類名】明細書
【補正対象項目名】００３１
【補正方法】変更
【補正の内容】
【００３１】  本考案の駐車位置表示構造を備えた駐車場の区画部１内に自動車を駐車させ、自動車から下車したときに、駐車位置の路面に貼着してある位置表示部３を携帯端末装置である携帯電話７のカメラで撮影してＱＲコード（登録商標）を読み込む、携帯電話７の画像部８に図５に示すような画面が映し出される。例えば、
「駐車場所３階Ａ−５、Ａ社の電話は２４時間家族割（登録商標）があります。」、「駐車位置５Ｂ−２、喫茶店アリスは５階にあります。」「東１２Ｃ−１、帰路  ○○にお寄りください。」などの広告を表示する。
このような画面を見て自動車の駐車位置を探すことができる。従って、その都度、駐車位置を記憶する必要もなく、駐車場内をうろうろして自分の自動車を探索することも無くなる。
【手続補正２】
【補正対象書類名】図面
【補正対象項目名】図５
【補正方法】変更
【補正の内容】
【図５】
0003148219.tif 000008